【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
ペースメーカと経皮経管的血管インターベンション機器とを備えたシステムであって、  前記ペースメーカは、
ペーシング出力回路と、
前記ペーシング出力回路に結合する制御回路であって、交互のぺーシング期間と非ぺーシング期間を含む所定の心臓保護ペーシング・シーケンスのタイミングをとるようになっている心臓保護ペーシング・シーケンス・タイマを含み、前記ぺーシング期間が、それぞれ、複数のペーシング・パルスが、所定のペーシング・モードで前記ペーシング出力回路からその間に送出される所定のペーシング継続時間を有し、前記非ぺーシング期間が、それぞれ、ペーシング・パルスが、その間に送出されない所定の非ペーシング継続時間を有する、制御回路とを含み、
前記経皮経管的血管インターベンション機器が、
前記ペーシング出力回路に接続されるように構成された１つまたは複数のコネクタを含む近位端部分と、
血管内設置を行うように構成され、遠位先端を含む遠位端部分と、
前記近位端部分と前記遠位先端との間に結合される細長い本体部と、
前記遠位端部分に組み込まれる１つまたは複数のペーシング電極と、
１つまたは複数の導体であって、前記１つまたは複数のペーシング電極の１つと１つまたは複数のコネクタの１つとの間にそれぞれ結合される、１つまたは複数の導体とを含む
システム。
【請求項２】
前記経皮経管的血管インターベンション機器が、冠状動脈ガイド・ワイヤと冠状動脈ガイド・カテーテルの１つを備える請求項１に記載のシステム。
【請求項３】
前記遠位端部分が、前記遠位先端にほぼ隣接する第１端と前記細長い本体部に結合する第２端を有する血管形成機器を備える請求項１に記載のシステム。
【請求項４】
前記１つまたは複数のペーシング電極が、前記血管形成機器の第１端にほぼ隣接する第１電極を備える請求項３に記載のシステム。
【請求項５】
前記１つまたは複数のペーシング電極が、前記血管形成機器の第２端にほぼ隣接する第２電極をさらに備える請求項４に記載のシステム。
【請求項６】
前記血管形成機器が、制御可能な拡張性と収縮性を有する調整可能な血管形成機器を備える請求項３から５のいずれか一項に記載のシステム。
【請求項７】
前記経皮経管的血管インターベンション機器が、冠状動脈拡張バルーン・カテーテル、ステント送出プラットフォーム、近接照射療法機器、アテレクトミー機器、塞栓症保護機器のうちの１つを備える請求項３から５のいずれか一項に記載のシステム。
【請求項８】
ペースメーカに接続するようになっている経皮経管的血管インターベンション（ＰＴＶＩ）機器であって、
前記ペースメーカに接続するように構成された１つまたは複数のコネクタを含む近位端部分と、
先端を含み、かつその先端にほぼ隣接する第１端と第２端を有する血管形成機器を含む、血管内設置を行うように構成された遠位端部分と、
前記近位端部分と前記遠位端部分の第２端との間に結合される細長い本体部と、
前記遠位端部分に組み込まれる１つまたは複数のペーシング電極と、
１つまたは複数の導体であって、それぞれ、前記細長い本体部内にあり、かつ、前記１つまたは複数のペーシング電極の１つと１つまたは複数のコネクタの１つとの間にそれぞれ結合される、１つまたは複数の導体と
を備えるＰＴＶＩ機器。
【請求項９】
前記細長い本体部が、約１ｍｍ〜５ｍｍの範囲の直径と約５０ｃｍ〜１５０ｃｍの範囲の長さを有する細長い円筒シャフトを備える請求項８に記載のＰＴＶＩ機器。
【請求項１０】
前記１つまたは複数のペーシング電極が、前記血管形成機器の第１端にほぼ隣接する第１電極を備える請求項８または９のいずれか一項に記載のＰＴＶＩ機器。
【請求項１１】
前記１つまたは複数のペーシング電極が、前記先端に組み込まれた少なくとも１つのペーシング電極を備える請求項８から１０のいずれか一項に記載のＰＴＶＩ機器。
【請求項１２】
前記１つまたは複数のペーシング電極が、前記血管形成機器に組み込まれた少なくとも１つのペーシング電極を備える請求項８から１０のいずれか一項に記載のＰＴＶＩ機器。
【請求項１３】
前記１つまたは複数のペーシング電極が、前記細長い本体部に組み込まれた少なくとも１つのペーシング電極を備える請求項８から１０のいずれか一項に記載のＰＴＶＩ機器。
【請求項１４】
前記１つまたは複数のペーシング電極が、前記血管形成機器の第２端にほぼ隣接する第２電極をさらに備える請求項８から１３のいずれか一項に記載のＰＴＶＩ機器。
【請求項１５】
前記遠位端部分が、１つまたは複数のＸ線不透過性マーカをさらに備える請求項８から１４のいずれか一項に記載のＰＴＶＩ機器。
【請求項１６】
前記遠位先端がテーパ付き先端を備える請求項８から１５のいずれか一項に記載のＰＴＶＩ機器。
【請求項１７】
前記血管形成機器が、制御可能な拡張性と収縮性を有する調整可能な血管形成機器を備える請求項８から１６のいずれか一項に記載のＰＴＶＩ機器。
【請求項１８】
前記調整可能な血管形成機器が調整可能なバルーンを備える請求項１７に記載のＰＴＶＩ機器。
【請求項１９】
前記調整可能なバルーンが冠状動脈拡張を行うように構成された冠状動脈拡張バルーンを備える請求項１８に記載のＰＴＶＩ機器。
【請求項２０】
前記調整可能なバルーンが、冠状動脈ステント設置を行うようになっている冠状動脈ステント送出バルーンを備える請求項１８に記載のＰＴＶＩ機器。
【請求項２１】
前記血管形成機器が、塞栓物質を収容し、かつ、除去するようになっている調整可能なフィルタ・バスケットを含む遠位塞栓症保護機器を備える請求項１７に記載のＰＴＶＩ機器。
【請求項２２】
前記血管形成機器が、放射線作用物質を収容するチャンバを含む近接照射療法機器を備える請求項８から１６のいずれか一項に記載のＰＴＶＩ機器。
【請求項２３】
前記血管形成機器が、前記遠位先端に結合する円筒ノーズコーンと前記ノーズコーンに結合するカッタを含むアテレクトミー機器を備え、前記カッタは組織を切断するようになっており、前記円筒ノーズコーンは切断された組織を格納するようになっている請求項８から１６のいずれか一項に記載のＰＴＶＩ機器。
【請求項２４】
血管内設置を行うように構成された遠位端部分を有する経皮経管的血管インターベンション（ＰＴＶＩ）機器を製造する方法であって、前記ＰＴＶＩ機器の前記遠位端部分に１つまたは複数のペーシング電極を組み込むことを含む方法。
【請求項２５】
前記ＰＴＶＩ機器の細長い本体部内に１つまたは複数の導体を閉囲することと、
前記１つまたは複数の導体のそれぞれを、前記１つまたは複数のペーシング電極の１つに接続することをさらに含む請求項２４に記載の方法。
【請求項２６】
前記ＰＴＶＩ機器の前記遠位端部分上に前記１つまたは複数のペーシング電極を組み込むことが、冠状動脈ガイド・ワイヤの遠位端部分上に前記１つまたは複数のペーシング電極を組み込むことを含む請求項２４または２５のいずれか一項に記載の方法。
【請求項２７】
前記ＰＴＶＩ機器の前記遠位端部分上に前記１つまたは複数のペーシング電極を組み込むことが、冠状動脈拡張バルーン・カテーテルの遠位端部分上に前記１つまたは複数のペーシング電極を組み込むことを含む請求項２４または２５のいずれか一項に記載の方法。
【請求項２８】
前記ＰＴＶＩ機器の前記遠位端部分上に前記１つまたは複数のペーシング電極を組み込むことが、ステント送出カテーテルの遠位端部分に前記１つまたは複数のペーシング電極を組み込むことを含む請求項２４または２５のいずれか一項に記載の方法。
【請求項２９】
前記ＰＴＶＩ機器の前記遠位端部分上に前記１つまたは複数のペーシング電極を組み込むことが、冠状動脈近接照射療法カテーテルの遠位端部分に前記１つまたは複数のペーシング電極を組み込むことを含む請求項２４または２５のいずれか一項に記載の方法。
【請求項３０】
前記ＰＴＶＩ機器の前記遠位端部分上に前記１つまたは複数のペーシング電極を組み込むことが、アテレクトミー機器の遠位端部分上に前記１つまたは複数のペーシング電極を組み込むことを含む請求項２４または２５のいずれか一項に記載の方法。
【請求項３１】
前記ＰＴＶＩ機器の前記遠位端部分上に前記１つまたは複数のペーシング電極を組み込むことが、遠位塞栓症保護機器の遠位端部分上に前記１つまたは複数のペーシング電極を組み込むことを含む請求項２４または２５のいずれか一項に記載の方法。